(57)【要約】      （修正有）【課題】形成された空間に利用者が入って位置することが可能な箱型家具を提供する。【解決手段】少なくとも２つの面により形成される空間を備え、空間は利用者が入って位置することが可能な大きさを有する。【選択図】図１
0003224944.tif 000002
【実用新案登録請求の範囲】
【請求項１】
少なくとも２つの面により形成される空間に利用者が入って位置することが可能な箱型家具。
【考案の詳細な説明】
【技術分野】
【０００１】
本考案は、空間に利用者が入ることが可能な箱型家具に関する。
【背景技術】
【０００２】
従来、「箱」の概念としては、物を入れるための容器等の意味合いがあったが、その「箱」について、入れる箱から人が入れる箱へと発想を転換した家具はなかった。
【０００３】
関連技術として、操作用棒状体を紛失することなく、また、箱型家具の内部で収納スペースを占有してしまうこともなく、効率よく操作用棒状体を保管することのできる可動式の箱型家具を提供する技術が提案されている（特許文献１参照）。
【先行技術文献】
【特許文献】
【０００４】
【特許文献１】特開２００２−１３６３７３号公報
【考案の概要】
【考案が解決しようとする課題】
【０００５】
しかしながら、特許文献１に記載の技術は、人が入れる箱へと発想を転換した家具ではない。
【０００６】
本考案の目的は、形成された空間に利用者が入って位置することが可能な箱型家具を提供することにある。
【課題を解決するための手段】
【０００７】
本考案の箱型家具は、少なくとも２つの面により形成される空間に利用者が入って位置することが可能である。
【考案の効果】
【０００８】
本考案によれば、形成された空間に利用者が入って位置することが可能な箱型家具を提供することができる。
【図面の簡単な説明】
【０００９】
【図１】本考案の第一の実施の形態に係る箱型家具の構成を示す図である。
【図２】本考案の第二の実施の形態に係る箱型家具の構成を示す図である。
【図３】本考案の第三の実施の形態に係る箱型家具の構成を示す図である。
【図４】本考案の第四の実施の形態に係る箱型家具の構成を示す図である。
【図５】本考案の第五の実施の形態に係る箱型家具の構成を示す図である。
【図６】本考案の第六の実施の形態に係る箱型家具の構成を示す図である。
【図７】本考案の第七の実施の形態に係る箱型家具の構成を示す図である。
【図８】本考案の第八の実施の形態に係る箱型家具の構成を示す図である。
【考案を実施するための形態】
【００１０】
まず、図１を参照して、本考案の第一の実施形態の箱型家具について説明する。
第一の実施形態の箱型家具は、図１（ａ）の正面図に示すように、土台部分に、前面が開放した５面の箱型の空間が斜めに組み合わせされた構成であり、例えば、図１（ｄ）に示すように５面の箱型の空間内に人が座ることができる。
【００１１】
次に、図２を参照して、本考案の第二の実施形態の箱型家具について説明する。
第二の実施形態の箱型家具は、図２（ｅ）の斜視図に示すように、ベッド部分とサイドテーブル部分が組み合わせされた構成であり、例えば、図２（ｄ）に示すようにベッド部分とサイドテーブル部分とで形成される空間内に人が座ったり、またベッド部分に人が寝る状態でも少なくとも２つの面により形成される空間に利用者が入って位置することとなる。
【００１２】
次に、図３を参照して、本考案の第三の実施形態の箱型家具について説明する。
第三の実施形態の箱型家具は、図３（ｃ）の斜視図に示すように、Ｌ字状部分と逆Ｌ字状部分が組み合わせされた構成であり、例えば、図３（ｃ）に示すようにＬ字状部分と逆Ｌ字状部分とで形成される１マス分の空間内に人が座ることができる。なお、Ｌ字状部分と逆Ｌ字状部分は一直線になるような組み合わせのみでなく、所定の角度を有するように組み合わされてもよい。
【００１３】
次に、図４を参照して、本考案の第四の実施形態の箱型家具について説明する。
第四の実施形態の箱型家具は、上記の第三の実施形態の箱型家具と基本的な構成は同様であり、図４（ｃ）の斜視図に示すように、Ｌ字状部分と逆Ｌ字状部分のマスの数が少なくなっている構成である。例えば、図４（ｃ）に示すようにＬ字状部分と逆Ｌ字状部分とで形成される１マス分の空間内に人が座ることができる。なお、Ｌ字状部分と逆Ｌ字状部分は一直線になるような組み合わせのみでなく、所定の角度を有するように組み合わされてもよい。
【００１４】
次に、図５を参照して、本考案の第五の実施形態の箱型家具について説明する。
第五の実施形態の箱型家具は、図５（ｄ）の斜視図に示すように、天井部分のあるテーブル（机）として構成されており、例えば、図５（ｄ）に示す、天井部分とテーブルの載置面とで形成される空間内に人が起立した状態で上体等を入れたり、椅子等を利用して座った状態で上体等を入れたりすることができる。
【００１５】
次に、図６を参照して、本考案の第六の実施形態の箱型家具について説明する。
第六の実施形態の箱型家具は、前面が開放した５面の箱型の空間が複数組み合わされた構成であり、例えば、図６（ｃ）に示すように図中の左側上部の５面の箱型の空間内に人が座ることができる。
【００１６】
次に、図７を参照して、本考案の第七の実施形態の箱型家具について説明する。
第七の実施形態の箱型家具は、図７（ａ）の斜視図に示すように、前面、後面、上面、下面が矩形の板状体で形成され、両側面が側面の面積の略１／４を占める大きさで形成されている構成であり、その内部空間に椅子部分が形成されている。
また、両側面は必ずしも必須ではなく、さらに側面の形状・大きさは任意であり、側面の内面や外面に本棚等が設けられる構成であってもよい。そして、内部空間の前面側には４面から形成される仏壇等として用いることができる載置部（図７（ｂ）も参照）が設けられている。なお、載置部は一段や二段の板部からなっていてもよく、また載置部は無くてもよく、替わりに鏡が取り付けられて鏡台として利用することであってもよい。
なお、椅子部分の前面は開放され内部は空洞であっても、前面が閉塞されていてもよい。
そして、例えば、図７（ｃ）に示すように空間内に人が椅子部分に腰かけて座ることができる。
【００１７】
次に、図８を参照して、本考案の第八の実施形態の箱型家具について説明する。
第八の実施形態の箱型家具は、図８の斜視図に示すように、複数の間仕切りパネルを組み合わされている構成であり、略６０度の角度で折り返し部分が設けられ、２方向からネジ等で留められて安定して組み合わされる。
また、間仕切りパネルの折り返し部分は逆方向に設けられることであってもよく、そのような間仕切りパネルを組み合わせると反対側に展開して構成することができるようになる。さらに、終端部分の間仕切りパネルの端部には折り返し部分は設けられないことであってもよい。
そして、例えば、図８に示すような空間内に人が位置することができる。もちろん空間内に机・椅子等を設置して利用することもできる。
【００１８】
上記の各実施の形態によれば、形成された空間に利用者が入って位置することが可能な箱型家具を提供することができるという顕著な効果を奏する。
【００１９】
その他、一々例示はしないが、本考案は、その趣旨を逸脱しない範囲内において、各構成部分の大きさや形状を含む種々の変更が加えられて実施されてよい。
【図１】
0003224944.tif 000003
【図２】
0003224944.tif 000004
【図３】
0003224944.tif 000005
【図４】
0003224944.tif 000006
【図５】
0003224944.tif 000007
【図６】
0003224944.tif 000008
【図７】
0003224944.tif 000009
【図８】
0003224944.tif 000010
【手続補正書】
【提出日】令和1年11月14日(2019.11.14)
【手続補正１】
【補正対象書類名】明細書
【補正対象項目名】０００７
【補正方法】変更
【補正の内容】
【０００７】
本考案の箱型家具は、少なくとも２つの面により形成される空間を備え、前記空間は利用者の体の一部が入る大きさを有する。
【手続補正２】
【補正対象書類名】実用新案登録請求の範囲
【補正対象項目名】全文
【補正方法】変更
【補正の内容】
【実用新案登録請求の範囲】
【請求項１】
少なくとも２つの面により形成される空間を備え、前記空間は利用者の体の一部が入る大きさを有する箱型家具。